【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
同報通信をサポートする無線通信システムであって、プロトコル制御機能ノード及び複数のパケットデータサービスノードを有する該システムにおいて、通信通路をセットアップするための方法、該方法は下記を具備する：
プロトコル制御機能ノードと通信可能な複数のパケットデータサービスノードの最初の番号を決定する；及び
最初の通信に関する最初のパケットデータサービスノードを該最初の番号の関数として決定する、ここにおいて、決定された最初のパケットデータサービスノードは、プロトコル制御機能ノードを介して最初の同報通信を受信すべき全ての移動局のために通信通路を
サポートする。
【請求項２】
該最初のパケットデータサービスノードを決定することが下記を具備する、請求項１記載の方法：
プロトコル制御機能ノードと通信可能な各パケットデータサービスノードへ固有の識別子を割り当てる。
【請求項３】
該最初のパケットデータサービスノードを決定することが更に下記を具備する、請求項２記載の方法：
該最初の通信に関するマルチキャストアドレスを受信する；及び
マルチキャストアドレスの関数として、最初のパケットデータサービスノードを決定する。
【請求項４】
マルチキャストアドレスの関数として該最初のパケットデータサービスノードを決定することが下記を具備する、請求項３記載の方法：
マルチキャストアドレス及び最初の番号上でモジュロ演算を行う、ここにおいて、モジュロ演算の結果は到達可能なパケットデータサービスノードに割り当てられる固有の識別子の１つに対応する。
【請求項５】
マルチキャストアドレスはインターネットプロトコルアドレスである、請求項３記載の方法。
【請求項６】
同報通信をサポートする無線通信システムであって、プロトコル制御機能ノード及び複数のパケットデータサービスノードを有する該システムにおいて、通信通路をセットアップするための方法、該方法は下記を具備する：
最初の通信のマルチキャストアドレスを決定する；及び
マルチキャストアドレスの関数として、最初の通信に関する最初のパケットデータサービスノードを決定する、ここにおいて、決定された最初のパケットデータサービスノードは、プロトコル制御機能ノードを介して最初の同報通信を受信すべき移動局のために通信通路をサポートする。
【請求項７】
更に下記を具備する、請求項６記載の方法：
プロトコル制御機能ノードと通信可能な複数のパケットデータサービスノードの最初の番号を決定する。
【請求項８】
マルチキャストアドレスの関数として、該最初の通信に関する最初のパケットデータサービスノードを決定することが下記を具備する、請求項７記載の方法：
マルチキャストアドレス及び最初の番号上でモジュロ演算を行う、ここにおいて、モジュロ演算の結果は到達可能なパケットデータサービスノードに割り当てられる固有の識別子の１つに対応する。
【請求項９】
同報通信をサポートする無線通信システムにおいて通信通路をセットアップするための基盤施設要素、該基盤施設要素は下記を具備する：
プロトコル制御機能ノードと通信可能な複数のパケットデータサービスノードの最初の番号を決定するための手段；及び
最初の通信に関する最初のパケットデータサービスノードを、該最初の番号の関数として決定するための手段、ここにおいて、決定された最初のパケットデータサービスノードは、プロトコル制御機能ノードを介して最初の同報通信を受信すべき全ての移動局のために通信通路をサポートする。
【請求項１０】
同報通信をサポートする無線通信システムにおいて通信通路をセットアップするための基盤施設要素、該基盤施設要素は下記を具備する：
最初の通信のマルチキャストアドレスを決定するための手段；及び
最初の通信に関する最初のパケットデータサービスノードを、マルチキャストアドレスの関数として決定するための手段、ここにおいて、決定された最初のパケットデータサービスノードは、プロトコル制御機能ノードを介して最初の同報通信を受信すべき移動局のために通信通路をサポートする。
【請求項１１】
同報通信をサポートする無線通信システムであって、プロトコル制御機能ノード及び複数のパケットデータサービスノードを有する該システムにおいて、通信通路をセットアップするための手段は下記を具備する：
プロトコル制御機能ノードと通信可能な複数のパケットデータサービスノードの最初の番号を決定するための手段；及び
最初の通信に関する最初のパケットデータサービスノードを、該最初の番号の関数として決定するための手段、ここにおいて、決定された最初のパケットデータサービスノードは、プロトコル制御機能ノードを介して最初の同報通信を受信すべき全ての移動局のために通信通路をサポートする。
【請求項１２】
同報通信をサポートする無線通信システムであって、プロトコル制御機能ノード及び複数のパケットデータサービスノードを有する該システムにおいて、通信通路をセットアップするための手段はは下記を具備する：
最初の通信のマルチキャストアドレスを決定するための手段；及び
最初の通信に関する最初のパケットデータサービスノードを、マルチキャストアドレスの関数として決定するための手段、ここにおいて、決定された最初のパケットデータサービスノードは、プロトコル制御機能ノードを介して最初の同報通信を受信すべき移動局のために通信通路をサポートする。
【請求項１３】
最初のパケットデータサービスノードがさらに下記を具備する、請求項２に記載の方法
：
最初の通信に関するマルチキャストアドレスを表示するパラメータを受信する；及び
該パラメータの関数として最初のパケットデータサービスを決定する。
【請求項１４】
マルチキャストアドレスの関数として最初のパケットデータサービスノードを決定することが下記を具備する、請求項１３に記載の方法：
該パラメータと該最初の番号上でモジュロ演算を行う、ここにおいて、モジュロ演算の結果は到達可能なパケットデータサービスノードに割り当てられる固有の識別子の１つに対応する。
【請求項１５】
同報通信をサポートする無線通信システムにおいて通信通路をセットアップするための基盤施設要素、該基盤施設要素は下記を具備する：
コンピュータ読み取り可能な命令を蓄積するために適応されるメモリ蓄積媒体；及び
下記のコンピュータ読み取り可能な命令を処理するために適応されるプロセッサー、
プロトコル制御機能ノードと通信可能な複数のパケットデータサービスノードの
最初の番号を決定すること、及び
該最初の番号の関数として最初の通信に関する最初のパケットデータサービスノ
ードを決定すること、ここにおいて、決定された最初のパケットデータサービスノ
ードはプロトコル制御機能ノードを介して最初の同報通信を受信すべき全ての移動
局のために通信通路をサポートする。
【請求項１６】
同報通信をサポートする無線通信システムにおいて、通信通路をセットアップするための基盤施設要素、該基盤施設要素は下記を具備する：
コンピュータ読み取り可能な命令を蓄積するために適応されるメモリ蓄積デバイス；及び
下記のコンピュータ読み取り可能な命令を処理するために適応されるプロセッサ；
最初の通信のマルチキャストアドレスを決定すること；及び
最初の通信に関する最初のパケットデータサービスノードを、マルチキャストアドレスの関数として決定すること、ここにおいて、決定された最初のパケットデータサービスノードは、プロトコル制御機能ノードを介して最初の同報通信を受信すべき移動局のために通信通路をサポートする。
【手続補正２】
【補正対象書類名】明細書
【補正対象項目名】０００１
【補正方法】変更
【補正の内容】
【０００１】
本発明は、米国特許商標庁に出願された下記の特許出願にに関連する。
２００１年１０月３日出願の、ニコライ  レウング等による米国特許出願第０９／９７０，４８７の「インターネットプロトコルを使用する無線通信システムにおけるデータパケット移送」、及び２００１年８月２０日出願の、レイモンド  スウによる米国特許出願第０９／９３３，９７７号の「無線通信システムにおけるデータ移送のための方法と装置」。両特許出願は、本願の譲受人に譲渡され、ここに引用することにより明確に取り込まれる。
【手続補正３】
【補正対象書類名】明細書
【補正対象項目名】００３５
【補正方法】変更
【補正の内容】
【００３５】
フリーアクセス、制御されたアクセス、及び部分的に制御されたアクセスを含む、ＨＳＢＳサービスに関するいくつかの可能な加入／収益のモデルが存在する。フリーアクセスに関しては、いずれの加入もユーザがサービスを受けるために必要ではない。ＢＳは、符号化することなくコンテンツを同報し、関心の或る移動体は該コンテンツを受信することができる。サービスプロバイダーのための収益はまた同報チャネルで伝送され得る広告を通して発生されることができる。例えば、到来する映画の切り抜きが伝送され、そのためにスタジオはサービスプロバイダーに支払う。